(57)【要約】      （修正有）【課題】セグメント表示方式に、更なる表示を加え、斬新な演出効果を得る表示装置を提供する。【解決手段】所定の情報３１ａ、３１ｄを報知する表示パネル３と、表示パネル３の背後に配置される表示意匠５ａ、５ｂを有する透過部材５１と、表示パネル３と透過部材５１との間に配置される導光部材と、表示パネル３と透過部材５１と導光部材とを保持するケース部材と、導光部材に光を導入し表示パネル３を照明する第１の光源と、透過部材５１の背後に配置され透過部材５１を照明する第２の光源と、を備えた表示装置１において、表示パネル３の視認方向において、情報３１ａ、３１ｄと表示意匠５ａ、５ｂは重なる。【選択図】図１
2020046286.tif 000002
【特許請求の範囲】
【請求項１】
所定の情報を報知する表示パネルと、
前記表示パネルの背後に配置される表示意匠を有する透過部材と、
前記表示パネルと前記透過部材との間に配置される導光部材と、
前記表示パネルと前記透過部材と前記導光部材とを保持するケース部材と、
前記導光部材に光を導入し前記表示パネルを照明する第１の光源と、
前記透過部材の背後に配置され前記透過部材を照明する第２の光源と、を備えた表示装置において、
前記表示パネルの視認方向において、前記情報と前記表示意匠は重なることを特徴とする表示装置。
【請求項２】
前記透過部材は、前記導光部材側の色が前記ケース部材の色と同系色に形成されることを特徴とする請求項１に記載の表示装置。
【請求項３】
前記透過部材は、前記ケース部材の段部に収容されることを特徴とする請求項１に記載の表示装置。
【発明の詳細な説明】
【技術分野】
【０００１】
本開示は、表示装置に関するものであり、特に、車両に搭載する表示装置に関するものである。
【背景技術】
【０００２】
従来の表示装置は、例えば特許文献１に開示されるものがある。この表示装置は、液晶表示パネルを備え、液晶表示パネルは、表示の形状や位置が固定される表示を表示するセグメント表示方式の第１の表示領域と、微小な縦横の行列に並べられた表示部を有し、様々な文字や図形を画像として表示するドット表示方式の第２の表示領域が混在されたものである。
【先行技術文献】
【特許文献】
【０００３】
【特許文献１】特開２０１５−１８７２１９号公報
【発明の概要】
【発明が解決しようとする課題】
【０００４】
しかしながら、セグメント表示方式は、ドットマトリクス表示方式に比べ、表示の形状や位置が固定されるので、面白みのない単調な表示演出であり、視覚的演出効果が不十分であるといった問題点があった。
【０００５】
そこで本開示は、上記問題点に鑑みてなされたものであり、セグメント表示方式に、更なる表示を加え、斬新な演出効果を得ることを目的とするものである。
【課題を解決するための手段】
【０００６】
本開示は、所定の情報３１ａ，３１ｄを報知する表示パネル３と、前記表示パネル３の背後に配置される表示意匠５ａ，５ｂを有する透過部材５１，５２と、前記表示パネル３と前記透過部材５１，５２との間に配置される導光部材４と、前記表示パネル３と前記透過部材５１，５２と前記導光部材４とを保持するケース部材６と、前記導光部材４に光を導入し前記表示パネル３を照明する第１の光源８１と、前記透過部材５１，５２の背後に配置され前記透過部材５１，５２を照明する第２の光源８２，８３と、を備えた表示装置において、前記表示パネル３の視認方向において、前記情報３１ａ，３１ｄと前記表示意匠５ａ，５ｂは重なることを特徴とする。
【発明の効果】
【０００７】
本開示によれば、所期の目的を達成することができ、セグメント表示方式に、更なる表示を加え、斬新な演出効果を得る表示装置を提供することができる。
【図面の簡単な説明】
【０００８】
【図１】本開示の表示装置の実施形態を示す正面図（保護板を省く）。
【図２】図１中のＡ−Ａ線に沿った断面図。
【図３】本開示のケースの正面図。
【図４】本開示の第１の拡散板の断面図。
【図５】本開示の第２の拡散板の断面図。
【図６】本開示の表示装置のオープニング表示を示す表示。
【図７】本開示の表示装置のオープニング表示の遷移を示す表示。
【図８】本開示の表示装置のノーマルモード表示を示す表示。
【図９】本開示の表示装置のレースモード表示を示す表示。
【発明を実施するための形態】
【０００９】
以下、図１乃至９に基づいて、本開示を適用した表示装置の実施形態を車両に搭載される表示装置に適用した場合について説明する。
【００１０】
以下の説明において、「前面側」は、図１における手前側、及び図２における左側（レンズ側）であり視認者（運転者）に視認される側を意味する。「背（後）面側」は、図１における奥側、及び図２における右側（回路基板側）を意味する。
【００１１】
以下、本開示の表示装置の第１の実施形態を説明する。
図１，２に示すように、表示装置は、上ケース１と、下ケース２と、液晶表示パネル（表示パネル）３と、導光体（導光部材）４と、拡散板（透過部材）５と、中ケース（ケース部材）６と、回路基板７と、光源８と、緩衝部材９と、パッキン１０と、から主に構成される。
【００１２】
上ケース１は、黒色等の遮光性の合成樹脂からなり、背面側が開口した略直方体の箱型形状に形成さる。上ケース１は、前面側に透明部１１を有する。透明部１１は、透光性の板状の合成樹脂からなる。透明部１１は、背面側に遮光層１２を有する。遮光層１２は、黒色のインキが印刷された層からなり、透明部１１の外周側に形成され、矩形の開口部１２ａと、複数の報知意匠１２ｂを形成する。
【００１３】
下ケース２は、黒色等の遮光性の合成樹脂からなり、前面側が開口した直方体の略箱型形状に形成される。下ケース２は、上ケース１と嵌合し、閉じた筐体を形成し、この筐体の内部に、液晶表示パネル３，導光体４，拡散板５，中ケース６，回路基板７，光源８，緩衝部材９を収容する。
【００１４】
液晶表示パネル３は、長方形の上下２枚のガラス基材で液晶材料を挟み込み封入し、その表裏に偏光板を貼り合わせたセグメント状の画素を有するＴＮ（Ｔｗｉｓｔｅｄ  Ｎｅｍａｔｉｃ：ねじれネマティック）型のポジ（表示文字が、点灯時に遮光性、消灯時は透光性になるモード。背景は点灯時及び消灯時も透光性）型のセグメントタイプの液晶パネルからなる。
【００１５】
液晶表示パネル３は、一辺にＦＰＣ（Ｆｌｅｘｉｂｌｅ  Ｐｒｉｎｔｅｄ  Ｃｉｒｃｕｉｔｓ）３２が接続される。ＦＰＣ３２は、液晶表示パネル３に接続される端面とは反対側の端面が、回路基板７の背後に実装されるコネクタ７１に接続される。ＦＰＣ３２は、液晶表示パネル３と回路基板７とを電気的に接続（導通接続）し、回路基板７からの電気信号を液晶表示パネル３に導き、液晶表示パネル３の表示部３１に情報を表示させる。
【００１６】
液晶表示パネル３は、表示部３１を有し、この表示部３１で前面側へ各種車両情報を表示する。表示部３１は、開口部１２ａの内側に位置し、視認者に視認される。表示部３１は、数字と単位とで車両の走行速度を表示する速度表示（所定の情報）３１ａと、文字とマークと目盛とで車両の残燃料を表示する燃料表示３１ｂと、「ＮＯＲＭＡＬ」の文字で車両が走行モード状態であることを報知するノーマルモード表示３１ｃと、「ＲＡＣＥ」の文字で車両がレースモード状態であることを報知するレースモード表示（所定の情報）３１ｄと、を少なくとも表示する。
【００１７】
導光体４は、透明な合成樹脂からなり、液晶表示パネル３の背後に配設される。導光体４は、第１の光源８１の点灯によりその照射光を受けて、導光体４内に光を導入する入射部４１と、入射部４１から液晶表示パネル３の方向へ延出する平面部４２と、平面部４２の背後で第１の光源８１の光を液晶表示パネル３へ向けて反射する斜面状の反射面４２ａと、を有する。
【００１８】
拡散板５は、例えば透明又は半透明の透光性のガラスやポリカーボネート樹脂等からなる薄板状の基材５１ａ，５２ａの表裏にインキが印刷されたものからなる。拡散板５は、外形が文字Ｒの形状に形成され、「Ｒ」図形を表示する第１の拡散板（透過部材）５１と、外形が矩形に形成され、チェッカーフラッグ（市松模様：二色の正方形を交互に配した模様）模様を表示する第２の拡散板（透過部材）５２と、を有する。
【００１９】
第１の拡散板５１は、図４に示すように、基材５１ａの前面側に透光性の白色インキが印刷された白色層５１ｂと、遮光性の黒色インキが印刷された黒色層５１ｃと、を有する。黒色層５１ｃは、文字Ｒの閉じた中の部分に形成される。白色層５１ｂは、中ケース６と同系色である。
【００２０】
第２の拡散板５２は、図５に示すように、基材５２ａの前面側に透光性の白色インキが印刷された白色層５２ｂと、基材５２ａの背面側に透光性の灰色インキが印刷された灰色層５２ｃと、を有する。灰色層５２ｃは、チェッカーフラッグ模様に形成される。白色層５２ｂは、中ケース６と同系色である。
【００２１】
中ケース６は、図２，３に示すように、白色の合成樹脂材料からなり、直方体の略箱型形状に形成され回路基板７の上に配置される。中ケース６は、図示しないが、背面側に回路基板７との位置決めを行うための位置決め用ピンが突き出し形成され、回路基板７にはその位置決め用ピンが挿入される孔が設けられ、このようにして両者は嵌合する。
【００２２】
中ケース６は、前面側が直方体形状に開口した凹部６１を有する。凹部６１は、導光体４を収容及び保持する。導光体４の平面部４２は、凹部６１の前面側の面である載置部６１ａに配置される。液晶表示パネル３は、凹部６１の前面を覆うように配置される。中ケース６は、フック上の係止部６２や、突起状の突起部６３を有し、液晶表示パネル３を保持する。
【００２３】
中ケース６は、第１の収容部６４と、第２の収容部６５と、第３の収容部６６と、第４の収容部６７と、を有する。
【００２４】
第１の収容部６４は、導光体４の入射部４１に対向する位置に形成され、回路基板７まで貫通する。第１の収容部６４は、入射部４１と第１の光源８１を収容する。
【００２５】
第２の収容部６５は、載置部６１ａの速度表示３１ａに対向する位置に形成され、第１の拡散板５１と略同一形状で回路基板７まで貫通する。第２の収容部６５は、載置部６１ａ側が第１の拡散板５１の厚み分だけ回路基板７側に凹んで段差となった第１の段部（段部）６５ａを有する。第１の段部６５ａは、第１の拡散板５１を収容する。第２の収容部６５は、第２の光源８２を収容する。
【００２６】
第３の収容部６６は、載置部６１ａのレースモード表示３１ｄに対向する位置に形成され、第２の拡散板５２と略同一形状で回路基板７まで貫通する。第３の収容部６６は、載置部６１ａ側が第２の拡散板５２の厚み分だけ回路基板７側に凹んで段差となった第２の段部（段部）６６ａを有する。第２の段部６６ａは、第２の拡散板５２を収容する。第３の収容部６６は、第３の光源８３を収容する。
【００２７】
第４の収容部６７は、複数の報知意匠１２ｂに対向する位置に複数個形成され、それぞれ回路基板７まで貫通する。第４の収容部６７は、第４の光源８４を収容する。
【００２８】
回路基板７は、中ケース６の背面側に位置し、液晶表示パネル３を駆動するための駆動回路が設けられ、光源８及び制御手段や駆動源などの電子部品を実装し、各部品を接続する銅箔配線が印刷された硬質プリント基板を適用できる。また、回路基板７は、表示装置を包括する車両用計器の筐体内に収納されると共に、外部コネクタやケーブルを介して車載される外部ユニットと通信可能に接続される。
【００２９】
また、回路基板７は、背後に実装されるコネクタ７１を有する。コネクタ７１には、ＦＰＣ３２が接続され、これにより、回路基板７と液晶表示パネル３とが導通接続される。
【００３０】
光源８は、トップビュー型のＬＥＤ（Ｌｉｇｈｔ  Ｅｍｉｓｓｉｏｎ  Ｄｉｏｄｅ）からなるものであり、照明光を発する。光源８は、第１の光源８１と、第２の光源８２と、第３の光源８３と、第４の光源８４と、を有する。
【００３１】
第１の光源８１は、第１の収容部６４内に複数個配置され、白色の照明光を発する。第２の光源８２は、第２の収容部６５内に複数個配置され、赤色の照明光を発する。第３の光源８３は、第３の収容部６６内に複数個配置され、白色の照明光を発する。第４の光源８４は、複数個の第４の収容部６７内にそれぞれ１個ずつ配置され、それぞれ各色の照明光を発する。
【００３２】
緩衝部材９は、上ケース１の遮光層１２に貼り付けられ、上ケース１と液晶表示パネル３の間に配置され、直方体に形成された弾性を有するスポンジである。
【００３３】
パッキン１０は、上ケース１と下ケース２の間に配置され、断面が丸形状でリング状に形成された弾性を有するゴム材料である。
【００３４】
次に、本開示の表示装置の表示方法について説明する。表示装置は、図６，７に示すオープニング表示と、図８に示すノーマル表示と、図９に示すレースモード表示と、を有する。
【００３５】
オープニング表示は、運転者がＥＮＧＩＮＥ  ＳＴＡＲＴ  ＳＴＯＰボタン等を押して車両の電源が起動された時に表示される。ノーマルモード表示は、通常走行時に表示される。レースモード表示は、運転者が加速重視の走りを重視した走行をしたい時に、車両に搭載されたＲＡＣＥ  ＭＯＤＥボタン等を押すことで表示される。
【００３６】
オープニング表示について説明する。車両のＥＮＧＩＮＥ  ＳＴＡＲＴ  ＳＴＯＰボタンが「ＯＮ」されると、第２の光源８２が点灯する。すると、第２の光源８２の照明光は第１の拡散板５１と、導光体４と、液晶表示パネル３と、透明部１１を透過し、視認者に視認される。これにより、図５に示すように、表示装置に「Ｒ」の図形（表示意匠）５ａが表示される。この点灯から所定時間が経過すると、第１の光源８１が点灯すると共に、液晶表示パネル３が起動する。液晶表示パネル３には、速度表示３１ａが表示される。この時の速度表示３１ａは、車両の最大走行速度を表示する。第１の光源８１の照明光は導光体４を導光し、液晶表示パネル３を背後から照明し、液晶表示パネル３と、透明部１１を透過し、視認者に視認される。これにより、速度表示３１ａと「Ｒ」の図形５ａが重なって表示される。この表示から所定時間が経過すると、第２の光源８２が徐々に消灯し、「Ｒ」の図形５ａが消える。
【００３７】
次にノーマルモード表示について説明する。オープニング表示から所定時間が経過すると、速度表示３１ａは、車両の現在の走行速度を表示する。これと同時に、液晶表示パネル３に燃料表示３１ｂと、ノーマルモード表示３１ｃと、が表示されノーマルモード表示となる。
【００３８】
次にレースモード表示について説明する。ノーマルモード表示の時に、運転者が、ＲＡＣＥ  ＭＯＤＥボタン等を押すと、液晶表示パネル３のノーマルモード表示３１ｃが消え、レースモード表示３１ｄが表示される。これと同時に第３の光源８３が点灯する。すると、第３の光源８３の照明光は第２の拡散板５２と、導光体４と、液晶表示パネル３と、透明部１１を透過し、視認者に視認される。これにより、レースモード表示３１ｄである「ＲＡＣＥ」の表示の背後に、「ＲＡＣＥ」の表示と重なるように、チェッカーフラッグ模様（表示意匠）５ｂが表示され、レースモード表示となる。
【００３９】
このように形成されることで、運転者の視認方向において、セグメント表示である速度表示３１ａやレースモード表示３１ｄの背後に重なるように、更に、「Ｒ」の図形５ａやチェッカーフラッグ模様５ｂからなる表示を加え、斬新な演出効果を得ることができる。
【００４０】
また、第１の拡散板５１と第２の拡散板５２とは、載置部６１ａに対し面一になるように収容され、また、載置部６１ａと、白色層５１ｂ，５２ｂとが同系色に形成されるので、第１の拡散板５１と第２の拡散板５２とを背後から照明しない場合に、液晶表示パネル３の背景の表示に、違和感の無い見栄えを演出することができる。
【００４１】
尚、本開示は前述した本実施形態に限定されるものでなく、本開示の要旨の範囲において、種々の変形が可能である。例えば、前述した本実施形態においては、表示装置の表示手段である液晶表示パネル３は、有機ＥＬ（Ｅｌｅｃｔｒｏ  Ｌｕｍｉｎｅｓｃｅｎｃｅ）モジュールであってもよい。照明手段である光源８としてＬＥＤを用いていたが、他の照明手段であってもよい。
【００４２】
また、レースモード表示は、液晶表示パネル３のレースモード表示３１ｄである「ＲＡＣＥ」の表示の背後に重なるように、チェッカーフラッグ模様５ｂが表示されたが、更に、第２の光源８２を点灯させて、速度表示３１ａの表示の背後に重なるように、「Ｒ」の図形５ａが表示されても良い。
【００４３】
本開示は、車両用の表示装置に関し、例えば、自動車やオートバイ、あるいは農業機械や建設機械を備えた移動体に搭載される車両用の表示装置に適用することができる。
【符号の説明】
【００４４】
３  液晶表示パネル（表示パネル）
３１ａ  速度表示（所定の情報）
３１ｄ  レースモード表示（所定の情報）
４  導光体（導光部材）
５１  第１の拡散板（透過部材）
５２  第２の拡散板（透過部材）
５ａ  「Ｒ」の文字（表示意匠）
５ｂ  チェッカーフラッグ模様（表示意匠）
６  中ケース（ケース部材）
６４ａ  第１の段部（段部）
６５ａ  第２の段部（段部）
８１  第１の光源
８２  第２の光源
８３  第２の光源（第３の光源）
【図１】
2020046286.tif 000003
【図２】
2020046286.tif 000004
【図３】
2020046286.tif 000005
【図４】
2020046286.tif 000006
【図５】
2020046286.tif 000007
【図６】
2020046286.tif 000008
【図７】
2020046286.tif 000009
【図８】
2020046286.tif 000010
【図９】
2020046286.tif 000011